(57)【要約】【課題】組み立て作業中に脚をひっくり返さずに全て上あるいは斜め前方からの作業で座を脚に取り付けることができるようにして、作業工程並びに部品点数を削減する。さらに、座と脚フレームとの間の隙間の発生や座受け金具などが剥き出しとなることをなくす。【解決手段】座１３を支持する前部座受け横ビーム１と後部座受け横ビーム２並びに複数本の座受け縦ビーム３とを有する椅子において、座１３の後端面１４と該後端面１４と対向する後部座受け横ビーム２のいずれか一方に前後方向に向けて突出する爪部材５を、他方に爪部材５を嵌入させる凹部６を備えると共に、座１３の前方の裏面側に前部座受け横ビーム１の前方からねじ込まれるビス１７で前部座受け横ビーム１に座１３を取り付けるための前部取付部４を備え、凹部６を爪部材５に嵌め込んだ状態で前部取付部４を前部座受け横ビーム１に前方からねじ込まれるビス１７で連結することにより座１３を座フレーム部に固定するようにしている。  【選択図】図１
2010094454.tif 000002
【特許請求の範囲】
【請求項１】
座の前部を支持する前部座受け横ビームと後部を支持する後部座受け横ビーム並びに前記前部座受け横ビームと前記後部座受け横ビームとに連結される複数本の座受け縦ビームとを有する座フレーム部を含む脚フレームと前記座フレーム部に支持される座とを備える椅子において、前記座の後端面と該後端面と対向する前記後部座受け横ビームのいずれか一方に前後方向に向けて突出する爪部材を、他方に前記爪部材を嵌入させる凹部を備えると共に、前記座の裏面に前記座受け縦ビームを嵌合させる溝を構成するリブ壁を備え、前記座の前方の裏面側に前記前部座受け横ビームの前方からねじ込まれるビスで前部座受け横ビームに前記座を取り付けるための前部取付部を備え、前記凹部を前記爪部材に嵌め込んだ状態で前記前部取付部を前記前部座受け横ビームに前方からねじ込まれる前記ビスで連結することにより前記座を前記座フレーム部に固定するものである椅子。
【請求項２】
前記爪部材は前記凹部への嵌入方向と直交する方向に突出すると共に弾性変形する弾性突起を備え、前記凹部には前記弾性突起が陥入する貫通孔が設けられ、前記凹部に前記爪部材が完全に嵌入されたときに前記爪部材の前記弾性突起が前記凹部の前記貫通孔に陥入して前記座と前記後部座受け横ビームとが連結されるものである請求項１記載の椅子。
【請求項３】
前記前部座受け横ビームに前方からビスをねじ込み可能とするねじ穴を設け、該ねじ穴に前記座の前部取付部を貫通させて直接ねじ止めすることで前記座の前記前部座受け横ビームへの固定が完了することを特徴とする請求項１または２記載の椅子。
【請求項４】
前記座の前方の裏面側に前記前部座受け横ビームの後側に当接して前記前部座受け横ビームを受け支える前部ストッパを備え、該前部ストッパから前記座の後端面までの間隔を前記前部座受け横ビームと前記後部座受け横ビームとの間隔よりも広めに設定し、前記座の後端と前記後部座受け横ビームとの間の前記凹部と前記爪部材とを嵌め込んだ状態で前記座の前方の前部ストッパを前部座受け横ビームの後側に押し込むことにより前記座を後方へ押す力を発生させ、前記座の後端が後部座受け横ビームに押し込まれ隙間をなくすものである請求項１から３のいずれか１つに記載の椅子。
【請求項５】
前記座の後端縁または背の下端縁には空所が形成され、前記空所に手を通して前記後部座受け横ビームを直接把持することにより椅子の持ち上げを可能としたものである請求項１から４のいずれか１つに記載の椅子。
【発明の詳細な説明】
【技術分野】
【０００１】
本発明は、座の前部を支持する前部座受け横ビームと後部を支持する後部座受け横ビームとを少なくとも有する座フレーム部を備える椅子の座の取付構造に関する。さらに詳述すると、本発明は、金属パイプまたは棒を折り曲げて成る脚フレームの座フレーム部に座を取り付ける椅子に関する。
【背景技術】
【０００２】
従来の金属パイプまたは棒を折り曲げた脚フレームにより座を支える椅子は、例えば図１４に示すように、前脚１０１と後脚１０２とを連結部材１０３を介して連結して成る脚フレームに対して座１０４を４点で支持する４枚の座受け板１０５を溶接付けにより予め固着しておき、そこに裏面側からビス１０６をねじ込むことで座１０４の枠部分を固定する構造とされている。
【０００３】
【特許文献１】特公平６−９３８５４
【発明の開示】
【発明が解決しようとする課題】
【０００４】
しかしながら、この座の取付構造の椅子では、座１０４を脚フレームに取り付けるには、脚フレームを組み立てた後に一旦脚フレームを逆さまにひっくり返し、座１０４を脚フレームの４枚の座受け板１０５を通してビス１０６で止め付ける作業工程が必要となる。そして、その後、再び椅子をひっくり返して元の状態に戻してから、背の取付やその他の必要な作業あるいは搬出を行う必要がある。このため、椅子を一旦逆さまにひっくり返し、さらに再びひっり返して元に戻す分だけ作業工数が余分にかかり、作業時間が多くかかる問題がある。また、椅子をひっくり返す作業は作業者にとっても大きな負担ともなる。
【０００５】
また、曲げ加工した後の前脚１０１に座１０４を取り付けるための４枚の座受け板１０５を溶接付けし、４本のビスで固定することから、溶接工程が余分に必要となるばかりか、４箇所の座受け板１０５と４本のビスとを必要とし、部品点数の増加によるコストアップの問題も伴う。そこで、作業の簡易化と部品点数の削減が望まれる。
【０００６】
さらに、脚フレームへの座の固定が脚フレームに座を載せた状態で下からビス止めするだけなので、製造誤差や組み付け誤差を配慮して適宜クリアランスを設定する必要があることから、座後方の脚フレームとの間に隙間が生じて外観が悪くなる問題がある。また、椅子の下から見た場合にも、ビス１０６並びに座受け板１０５部分が剥き出しとなるため、見た目の悪いものとなる。
【０００７】
本発明は、組み立て作業中に脚をひっくり返さずに全て上あるいは斜め前方からの作業で座を脚に取り付けることができる構造の椅子を提供することを目的とする。さらに、本発明は、作業工程並びに部品点数を削減できる座の取付構造の椅子を提供することを目的とする。さらに、本発明は、座と脚フレームとの間の隙間の発生や座受け金具などが剥き出しとなることがない椅子を提供することを目的とする。
【課題を解決するための手段】
【０００８】
かかる目的を達成するため、本発明は、座の前部を支持する前部座受け横ビームと後部を支持する後部座受け横ビーム並びに前部座受け横ビームと後部座受け横ビームとに連結される複数本の座受け縦ビームとを有する座フレーム部を含む脚フレームと座フレーム部に支持される座とを備える椅子において、座の後端面と該後端面と対向する後部座受け横ビームのいずれか一方に前後方向に向けて突出する爪部材を、他方に爪部材を嵌入させる凹部を備えると共に、座の裏面に座受け縦ビームを嵌合させる溝を構成するリブ壁を備え、座の前方の裏面側に前部座受け横ビームの前方からねじ込まれるビスで前部座受け横ビームに座を取り付けるための前部取付部を備え、凹部を爪部材に嵌め込んだ状態で前部取付部を前部座受け横ビームに前方からねじ込まれるビスで連結することにより座を座フレーム部に固定するようにしている。
【０００９】
また、請求項２記載の発明は、請求項１記載の椅子において、爪部材には凹部への嵌入方向と直交する方向に突出すると共に弾性変形する弾性突起を備え、凹部には弾性突起が陥入する貫通孔が設けられ、凹部に爪部材が完全に嵌入されたときに爪部材の弾性突起が凹部の貫通孔に陥入して座と後部座受け横ビームとが連結されるようにしている。
【００１０】
また、請求項３記載の発明は、請求項１または２記載の椅子において、前部座受け横ビームに前方からビスをねじ込み可能とするねじ穴を設け、該ねじ穴に座の前部取付部を貫通させて直接ねじ止めすることで座の前部座受け横ビームへの固定が完了するようにしている。
【００１１】
また、請求項４記載の発明は、請求項１から３のいずれか１つに記載の椅子において、座の前方の裏面側に前部座受け横ビームの後側に当接して前部座受け横ビームを受け支える前部ストッパを備え、該前部ストッパから座の後端面までの間隔を前部座受け横ビームと後部座受け横ビームとの間隔よりも広めに設定し、座の後端と後部座受け横ビームとの間の凹部と爪部材とを嵌め込んだ状態で座の前方の前部ストッパを前部座受け横ビームの後側に押し込むことにより座を後方へ押す力を発生させ、座の後端が後部座受け横ビームに押し込まれ隙間をなくすようにしている。
【００１２】
また、請求項５記載の発明は、請求項１から４のいずれか１つに記載の椅子において、座の後端縁または背の下端縁には空所が形成され、空所に手を通して後部座受け横ビームを直接把持することにより椅子の持ち上げを可能とするようにしている。
【発明の効果】
【００１３】
請求項１記載の椅子によれば、座を後部座受け横ビームへ向けてスライドさせて後端に配置されている爪部材と凹部とを嵌合させると共に座の前方の前部取付部を前部座受け横ビームに前方からねじ込むビスで連結することで座を座フレーム部に固定できるため、座の後端と後部座受け横ビームとの間にクリアランスを設ける必要もなければ隙間が発生することもないことから、外観が悪くなることがない。
【００１４】
しかも、座の組み付け作業は、脚をひっくり返さずに全て上あるいは斜め前方からの作業で完了することができるので、椅子を一旦逆さまにひっくり返し、さらに再びひっり返して元に戻す作業が必要となくなるので、その分の作業時間を削減することができると共に作業者に与える負担を軽減でき、大幅な作業効率の向上が望める。また、座の組み付け作業が全て上からのあるいは斜め前方からのものであるので、楽な作業姿勢で組み立て作業を進めることができる。
【００１５】
また、座を脚に固定する手段は、座の後端面と後部座受け横ビームとの間で嵌入される爪部材と凹部並びに座の前部取付部を貫通して前部座受け横ビームにねじ込まれるビスであってほとんど隠されるため、脚に座を取り付けるための座受け金具などを用いた従来の座の取付構造に比べて剥き出しとなるものが少なく、見た目の良いものとなる。しかも、座を取り付けるための座受け金具を無くし、ビス止め箇所を減らして座の前部のねじ止めだけで座の脚フレームへの組み付けが完了するので、部品点数並びにねじ止め工数を減らすことができる。この部品点数並びに作業工程の削減により製造コストを低減することができる。
【００１６】
さらに、座フレーム部を構成する座受け縦ビームを嵌合させるリブ壁によって座の左右方向へのずれを防いで安定的に座の支持を行うことができる。しかも、リブ壁が座の後端と後部座受け横ビームとの間の係止爪と凹部との嵌入を図るときのガイドを兼ねることから、組み立て作業が一層容易になる。加えて、リブ壁が縦ビームの側方を覆い隠す目隠し効果を与えることから、見た目を良くできる。さらに、リブ壁の存在によってリブ効果が得られるため、座の強度を上げることができる。
【００１７】
さらに請求項２記載の椅子によれば、爪部材の弾性突起が凹部の貫通孔に陥入して座と後部座受け横ビームとが完全に連結されると、爪部材の弾性突起が凹部の貫通孔に陥入するクリック止めによる音（「カチッ」という音）と動きとでしっかりと嵌った状態が確認できる。このため、組み立て時の座の後部の連結不良を未然に防ぐことができる。
【００１８】
さらに請求項３記載の椅子によれば、座の前部と前部座受け横ビームとを前部座受け横ビームに直接ねじ止めで連結することにより座の固定を完了するようにしているので、部品点数並びにねじ止め工数を減らすことができ、製造コストを削減できる。しかも、前部座受け横ビームに座の前部を直接固定するため、座の前後移動、上下移動がなくなり、しっかりと座が固定できる。
【００１９】
さらに請求項４記載の椅子によれば、前部座受け横ビームと後部座受け横ビームとの間隔よりも座の前部ストッパから後端面までの間隔を広めに設定しているので、座の前部ストッパを前部座受け横ビームの後側（後部座受け横ビーム側）に押し込むと同時に座を後部座受け横ビーム側へ押す力が発生することにより、座の後端が後部座受け横ビームに押し込まれ、座が後部座受け横ビームに隙間無く密着するように嵌合させることができる。したがって、座の後端における脚フレームとの間の隙間の発生を防ぐことができる。
【００２０】
さらに請求項５記載の椅子によれば、座の後端縁または背の下端縁に形成された空所を通して後部座受け横ビームに直接手をかけることができるので、椅子の持ち上げ・持ち運びが容易となる。このため、椅子をスタッキングさせる場合に、この空所を利用して後部座受け横ビームをスタッキング持ち手部として利用することができるので、スタックキング作業が容易となる。
【発明を実施するための最良の形態】
【００２１】
以下、本発明の構成を図面に示す実施形態に基づいて詳細に説明する。
【００２２】
図１から図１２に本発明をサークル脚椅子と呼ばれる椅子に適用した実施形態の一例を示す。この椅子１は、棒鋼を折り曲げた脚フレームに、硬質の樹脂製座板（座）１３並びに背板（背）２６を取付るようにしたものである。
【００２３】
脚フレームは、１本の棒鋼を折り曲げることによって、前脚フレーム部１９と後脚フレーム部２０及びこれらを連結する底部連結フレーム部２１並びに背板２６を支持する背板取付フレーム部２２とを連続的に形成した一対の脚部材から成り、この一対の脚部材を脚継ぎバーとしての前部座受け横ビーム１と後部座受け横ビーム２とで互いに連結することにより、所謂サークルフレームと呼ばれる脚を構成している。さらに、前部座受け横ビーム１と後部座受け横ビーム２との間には、これら前部座受け横ビーム１と後部座受け横ビーム２との間で座フレーム部を構成する複数本例えば２本の座受け縦ビーム３が配置され、溶接付けにより前部座受け横ビーム１と後部座受け横ビーム２とに連結されている。２本の座受け縦ビーム３は、前部座受け横ビーム１と後部座受け横ビーム２の両端寄りで座板１３を安定して支持するために十分な横の間隔をあけて配置されている。尚、本実施形態では、フレーム材としては一般に使われるパイプに比べて遙かに細径となる直径１２ｍｍ程度の低炭素鋼あるいは機械構造用炭素鋼の無垢の丸棒が使用されている。したがって、座板１３と背板２６とが隙間無く密着される後部座受け横ビーム２は前方からは見えず、一見すると座板１３と背板２６とが一体に見える外観を呈する。勿論、座フレーム部並びに該座フレーム部を含む脚フレームを構成する丸棒の大きさや材質には特に上述の細径丸棒に限定されず、一般的に使用されている大きさのパイプや丸棒、方形ないし多角形のパイプや棒材なども使用可能である。
【００２４】
座板１３は、硬質の合成樹脂例えばポリプロピレンなどで成形されている。そして、その裏面側には、前部座受け横ビーム１に座板１３を取り付けるための前部取付部４と前部ストッパ９及び座受け縦ビーム３を収容する溝１１を構成するためのリブ壁１０並びに台座１２が一体成形されている。さらに、座板１３の後端には、後端面１４に開口して後部座受け横ビーム２から突出する爪部材５を嵌入させる凹部６が一体成形されている。尚、座板１３には必要に応じて上張地あるいはクッション材を取り付けることもある。
【００２５】
前部取付部４は、前部座受け横ビーム１の前方からねじ込まれるビス１７で前部座受け横ビーム１の前面側に座板１３の前部を取り付けるためのものであり、前部座受け横ビーム１に対向する立て壁に固定用のビス１７を貫通させるための貫通孔１６があけられている。立て壁には補強のためにリブ壁が両側に一体形成され、座板１３を固定するに必要な強度が確保されている。この前部取付部４は、本実施形態の場合、座受け縦ビーム３を嵌合させる溝１１を構成するリブ壁１０の前方にそれぞれ配置され、リブ壁１０の前端縁との間で前部座受け横ビーム１を抱持するように係合しかつ取り外し方向にはアンダーカットとなる係止手段を構成し、座板１３を前部座受け横ビーム１の上に載置して押し込むだけで前部座受け横ビーム１への装着を可能としている。具体的には、前部座受け横ビーム１と対向するリブ壁１０並びに前部取付部４の縁部は、棒鋼より成る前部座受け横ビーム１よりも僅かに大きな曲率半径で湾曲し、ビス１７で固定されていない状態でも座板１３を前部座受け横ビーム１から取り外す方向の動きに対しては僅かにアンダーカットとして機能する。また、リブ壁１０並びに前部取付部４の縁部の開口端側（前部座受け横ビーム１が出入りする部分）には、これらの間に前部座受け横ビーム１が押し込まれる際にリブ壁１０の前端縁と前部取付部４との間を押し広げる力が発生して僅かに撓み前部座受け横ビーム１を通過させるようにする案内面が形成されている。したがって、座板１３を上から押しつけるだけで、リブ壁１０の前端縁と前部取付部４との間が広がって前部座受け横ビーム１を受け入れ挟持する。
【００２６】
他方、前部座受け横ビーム１には前方からビス１７をねじ込み可能とするねじ穴１８が設けられており、このねじ穴１８に前部取付部４の貫通孔１６を通してねじ込まれるビス１７によって座板１３の前部が前部座受け横ビーム１へ直接固定される。
【００２７】
また、座板１３の前部の裏面側には、図１に示すように、前部座受け横ビーム１の後側に差し込まれて前部座受け横ビーム１を受け支える前部ストッパ９が座板１３の中央に配置されている。この前部ストッパ９は、図１２に示すように、前部座受け横ビーム１を後方から受け支える支持壁と該支持壁を補強するリブ壁とで構成されている。本実施形態の場合、支持壁は座板１３の幅方向に間隔をあけて３箇所設置され、これらがほぼ垂直に座板１３の裏面から前部座受け横ビーム１と平衡に垂下するリブ壁によって連結されている。そして、支持壁の前部座受け横ビーム１と対向する縁部は、座板１３寄りの上半分が前部座受け横ビーム１とほぼ同じあるいはそれよりも僅かに大きな曲率半径の湾曲面で構成されると共に下半分がほぼ鉛直となる直線面で構成されている。したがって、前部座受け横ビーム１の中心よりも後ろ側に前部ストッパ９の先端が当接されて座板１３が前部座受け横ビーム１側へ押し込まれると、前部座受け横ビーム１の周面に沿って前部ストッパ９が移動し、座板１３が後方へ移動されられる。ここで、前部ストッパ９（より詳細には前部座受け横ビーム１と接する前面）から座板１３の後端面１４までの間隔Ｌ１、は、前部座受け横ビーム１と後部座受け横ビーム２との間隔Ｌ２よりも広めに設定されている。具体的には、Ｌ２よりもＬ１が０．５ｍｍ程度大きめに設定される。これにより、座板１３の後端面１４と後部座受け横ビーム２との間の凹部６と爪部材５とを嵌め込んだ状態で座板１３の前方の前部ストッパ９を前部座受け横ビーム１の後側に押し込むだけで座板１３を後方へ押す力を発生させ、座板１３の後端面１４が後部座受け横ビーム１に押し込まれようにしている。これにより、座板１３の後端面１４が後部座受け横ビーム１とが密着してそれらの間に隙間をなくすように設けられている。
【００２８】
また、リブ壁１０は座受け縦ビーム３の両側を覆い隠し、椅子の側方から見て座受け縦ビーム３が見えないようにしている。この座受け縦ビーム３を収容する溝１１の底部には、座受け縦ビーム３と座板１３との間の隙間・形状の相違を吸収するための台座１２が形成されている。したがって、座受け縦ビーム３は台座１２を介して座板１３を支持するように設けられている。左右の溝を構成する縦リブ１０の前端は湾曲した曲面に形成され、前部座受け横ビーム１を挟んで反対側に配置される前部取付部４との間で前部座受け横ビーム１を挟持する。尚、リブ壁１０、前部取付部４並びに前部ストッパ９は、場合によっては座板１３と別部材に構成されたものを取り付けるようにしても良い。
【００２９】
さらに、座板１３の後端部には空所１５が形成され、この空所１５に手を通して後部座受け横ビーム２を直接把持することにより椅子の持ち上げを可能としている。本実施形態において空所１５は、座板１３の後端面１４の中央に１箇所だけ形成されているが、場合によっては左右に振り分けるように２箇所あるいは３箇所以上設けるようにしても良い。また、空所１５は、場合によっては背板２６の下端縁に設けて座板１３側には形成しないこともあるし、さらには座板１３と背板２６の双方に設けることもある。
【００３０】
上述の座板１３の後端面１４と該後端面１４と対向する後部座受け横ビーム２のいずれか一方には前後方向に向けて突出する爪部材５が、他方には爪部材５を嵌入させる凹部６が備えられて、座板１３と後部座受け横ビーム２とが連結される。本実施形態では、図５、６並びに図１０に示すように、爪部材５は後部座受け横ビーム２に前部座受け横ビーム１へ向けて突出するように溶接付けによって取り付けられる一方、凹部６は座板１３の後端面１４に爪部材５を前後方向に陥入させるように樹脂製座板１３に一体形成されている。そして、爪部材５は凹部６への嵌入方向と直交する方向に突出すると共に弾性変形する弾性突起８を備え、凹部６には弾性突起８が陥入する貫通孔７が設けられ、凹部６に爪部材５が完全に嵌入されたときに爪部材５の弾性突起８が凹部６の貫通孔７に陥入して座板１３と後部座受け横ビーム２とが連結されるように設けられている。本実施形態では、爪部材５及び凹部６は、左右の座受け縦ビーム３を挟むようにそれぞれ２箇所づつ、合計４組が左右均等な位置に設置されているが、必要に応じてこれよりも多くあるいは少なくしても良い。例えば空所１５を座板１３の後端に設けずに背２６の下端に設ける場合には、座板１３の左右に対称に配置するだけでなく後端面１４の中心にも爪部材５及び凹部６を配置して、合計５組あるいは３組とすることが好ましい。
【００３１】
また、本実施形態では、図９に示すように、背板２６が後部座受け横ビーム２に設けられた複数箇例えば４枚の背板補強板２３と背板取付フレーム２２に嵌め込まれて取り付けられている。背板補強板２３は、図５及び図７に示すように、背板取付フレーム２２に沿って上向きに立てられて後部座受け横ビーム２に溶接付けされており、背板２６の下端面にあけられた背板補強板用凹部２８に嵌合される。また、背板２６は、差し込みバー挿入用孔２７を有し、後部座受け横ビーム２に設けられた差し込みバー用貫通孔２４を通して圧入される差し込みバー２５によっても固定される。
【００３２】
以上のように構成された椅子によれば、座板１３を脚フレームに組み付ける際には、座フレーム部の座受け縦ビーム３上に座板１３の裏面のリブ壁１０で区画された溝部１１を嵌め合わせるように位置合わせして載せるだけで、脚フレームに対する座板１３の大まかな横方向の位置決めが為される。そこで、座板１３を後部座受け横ビーム２へ向けてスライドさせるように押し込むだけで、座板１３の後端面の凹部６に係止爪５が嵌入されて座板１３の後端面１４側が後部座受け横ビーム２に連結されると共にほぼ正確な位置決めが済む。さらに、座板１３の前方を押し下げると、前部座受け横ビーム１に裏側の前部取付部４並びに前部ストッパ９が変形しながら嵌合して、座板１３の前後方向の位置決めが完了する。このとき、前部ストッパ９から座板１３の後端面１４までの間隔Ｌ１が前部座受け横ビーム１と後部座受け横ビーム２との間隔Ｌ２よりも僅かに広めに設定されていることから、座板１３には前部座受け横ビーム１との間で後方へ押される力が発生し、後ろ側へ押される。そして、座板１３の後端面１４が後部座受け横ビーム２に隙間無く密着される。この状態では座板１３の前部と前部座受け横ビーム１とは摩擦力で固定されている。そこで、座板１３あるいは脚フレームを持って椅子の前方を僅かに持ち上げてから座側の前部取付部４の穴１６を通して前部座受け横ビーム１のねじ穴１８にビス１７をねじ込むことで、座板１３の前部取付部４を介して前部座受け横ビーム１に座板１３を直接ねじ止めによる固定を完了することができる。
【００３３】
なお、上述の実施形態は本発明の好適な実施の一例ではあるがこれに限定されるものではなく、本発明の要旨を逸脱しない範囲において種々変形実施可能である。例えば、本実施形態の座板１３は、硬質のプラスチック製座板にクッション材と上張り地を施したものが採用されているが、これに特に限られるものでなく、例えば図示していないが環状の座枠に対して座面を構成できるだけの張力や強度を有するメッシュシートを張り付けた座や、更には前述のメッシュシートの上に必要に応じてクッション材や上張り地を覆ったものなど、様々な構造や材料からなる座の採用が可能である。この場合には、左右の脚フレームを繋ぐ前部座受け横ビーム１と後部座受け横ビーム２との間で座フレーム部を構成する複数の座受け縦ビームは環状の座枠を支持するように前部座受け横ビーム１と後部座受け横ビーム２の各両端同士を連結する位置に配置されることが好ましい。
【００３４】
また、本実施形態においては、座フレーム部は前部座受け横ビーム１と後部座受け横ビーム２並びにこれら両ビーム１，２の間に縦（椅子の前後方向）に配置されて両ビーム１，２を連結している２本の座受け縦ビーム３とで構成されているが、少なくとも前部座受け横ビーム１と後部座受け横ビーム２とで座フレーム部が構成されていれば本発明の座の取付構造は適用することができる。特に、前部座受け横ビーム１と後部座受け横ビーム２とを連結する座受け縦ビーム３は場合によっては必要ではなく、前脚フレーム１９と後脚フレーム２０とを座板１３から離れた位置で連結して前後の脚フレームを継ぐようにしても良い。この場合には、座は前部座受け横ビームと後部座受け横ビームとで構成される座フレーム部によって支えられる。また、前部座受け横ビーム１と後部座受け横ビーム２のみで座を支持できる場合には、座板の中程を支持する複数の座受け縦ビームを設ける必要はなく、かつそれを覆い隠すための縦リブ壁も設ける必要がなくなる。
【００３５】
また、本実施形態では、座と背とが一体と見えるような構成の椅子とした例を挙げて主に説明したが、これに特に限られるものではなく、座の前部を支持する前部座受け横ビームと後部を支持する後部座受け横ビームとを少なくとも有する座フレーム部を含むものであれば、座に対して背が離れて完全に独立した形態で設けられている椅子や、背を有さない椅子、回転椅子、連結椅子などの種々の椅子の座の取付構造として本発明は適用できるものである。
【００３６】
また、後部座受け横ビーム２と座板１３の後端を連結する爪部材５と凹部６とは、座板１３の後端面１４と後部座受け横ビーム２のいずれか一方に爪部材５を、他方に凹部６を備えればよく、座の後端面１４に爪部材５を、後部座受け横ビーム２側に凹部６を形成するようにしても良い。  
【図面の簡単な説明】
【００３７】
【図１】本発明の椅子を構成する座の一実施形態を示す底面図である。
【図２】図１の座の中央縦断面図である。
【図３】本発明の椅子を構成する脚フレームの一実施形態を示す平面図である。
【図４】同脚フレームの正面図である。
【図５】後部座受け横ビームと座受け縦ビーム、背板補強板並びに爪部材との関係を示す斜視図である。
【図６】後部座受け横ビームと爪部材との関係を示す縦断面図である。
【図７】後部座受け横ビームと背板補強板との関係を示す縦断面図である。
【図８】本発明の椅子の一実施形態を背板を省いて示す平面図である。
【図９】本発明の椅子の一実施形態を座板を省いて示す正面図である。
【図１０】爪部材と凹部とを嵌合させた状態の座板と後部座受け横ビームとの連結構造の一実施形態を示す縦断面図である。
【図１１】前部座受け横ビームと前部取付部との連結構造の一実施形態を示す縦断面図である。
【図１２】前部座受け横ビームと前部ストッパの一実施形態を示す縦断面図である。
【図１３】座板と座受け縦ビームとの関係を示す横断面図である。
【図１４】従来の椅子の座の取付構造を示す斜視図である。
【符号の説明】
【００３８】
１  前部座受け横ビーム
２  後部座受け横ビーム
３  座受け縦ビーム
４  前部取付部
５  爪部材
６  凹部
７  貫通孔
８  弾性突起
９  前部ストッパ
１０  リブ壁
１１  溝
１２  台座
１３  座板（座）
１４  座の後端面
１５  空所
１６  前部取付部の貫通孔
１７  ビス
１８  前部座受け横ビームのねじ穴
Ｌ１  座の裏面に形成される前方の爪部から後端面までの間隔
Ｌ２  前部座受け横ビームと後部座受け横ビームとの間隔
【図１】
2010094454.tif 000003
【図２】
2010094454.tif 000004
【図３】
2010094454.tif 000005
【図４】
2010094454.tif 000006
【図５】
2010094454.tif 000007
【図６】
2010094454.tif 000008
【図７】
2010094454.tif 000009
【図８】
2010094454.tif 000010
【図９】
2010094454.tif 000011
【図１０】
2010094454.tif 000012
【図１１】
2010094454.tif 000013
【図１２】
2010094454.tif 000014
【図１３】
2010094454.tif 000015
【図１４】
2010094454.tif 000016